Podtech/llm-jp-corpus-v4-ja_patent huggingface dataset:
【手続補正書】
【提出日】平成19年4月17日(2007.4.17)
【手続補正１】
【補正対象書類名】特許請求の範囲
【補正対象項目名】全文
【補正方法】変更
【補正の内容】
【特許請求の範囲】
【請求項１】
成分ｉ〜ｉｉの全質量に対して、脂肪族および芳香族ジカルボン酸および脂肪族ジヒドロキシ化合物をベースとする少なくとも１種のポリエステル（成分ｉ）  ５〜８０質量％および
成分ｉ〜ｉｉの全質量に対して、少なくとも１種の再生可能な原料（成分ｉｉ）  ２０〜９５質量％および
成分ｉ〜ｉｉの全質量に対して、グリシジルアクリレートおよび／またはグリシジルメタクリレート（成分ｉｉｉ）  ０．１〜１５質量％を含有する、生分解性ポリエステル混合物。
【請求項２】
成分ｉが、
Ａ）ａ１）少なくとも１種の脂肪族または少なくとも１種の脂環式ジカルボン酸またはそのエステル形成誘導体またはこれらの混合物  ３０〜９９モル％、
ａ２）少なくとも１種の芳香族ジカルボン酸またはそのエステル形成誘導体またはこれらの混合物  １〜７０モル％、および
ａ３）スルホン化化合物  ０〜５モル％
から成る酸成分、その際、成分ａ１）〜ａ３）のモル％は全部で１００％であり、および
Ｂ）少なくとも１種のＣ２〜Ｃ１２−アルカンジオールまたは少なくとも１種のＣ５〜Ｃ１０−シクロアルカンジオールまたはこれらの混合物を含有するジオール成分、
および場合によってはさらに１種またはそれ以上の成分から成り、この場合、これらの成分は、
Ｃ）ｃ１）式Ｉ
ＨＯ−［（ＣＨ２）ｎ−Ｏ］ｍ−Ｈ      （Ｉ）
［式中、ｎは２、３または４であり、かつｍは２〜２５０の整数を示す］を有する少なくとも１種のエーテル官能基含有ジヒドロキシ化合物、
ｃ２）式ＩＩａまたはＩＩｂ
【化１】
2007533770.tif 000001
［式中、ｐは１〜１５００の整数であり、かつｒは１〜４の整数を意味し、かつＧはフェニレン、−（ＣＨ２）ｑ−（式中、ｑは１〜５の整数を意味する）、−Ｃ（Ｒ）Ｈ−および−Ｃ（Ｒ）ＨＣＨ２（その際、Ｒはメチルまたはエチルを示す）から成る群から選択された基を示す］の少なくとも１種のヒドロキシカルボン酸、
ｃ３）少なくとも１種のアミノ−Ｃ２〜Ｃ１２−アルカノールまたは少なくとも１種のアミノ−Ｃ５〜Ｃ１０−シクロアルカノールまたはこれらの混合物、
ｃ４）少なくとも１種のジアミノ−Ｃ１〜Ｃ８−アルカン、
ｃ５）少なくとも１種の一般式ＩＩＩ
【化２】
2007533770.tif 000002
［式中、Ｒ１は単結合、（ＣＨ２）ｚ−アルキレン基（式中、ｚ＝２、３または４である）またはフェニレン基を意味する］の２，２’−ビスオキサゾリン、
ｃ６）天然のアミノ酸、４〜６個の炭素原子を有するジカルボン酸および４〜１０個の炭素原子を有するジアミンの重縮合によって得られるポリアミド、式ＩＶａおよびＩｖｂ
【化３】
2007533770.tif 000003
［式中、ｓは１〜１５００の整数およびｔは１〜４の整数を意味し、かつＴはフェニレン、−（ＣＨ２）ｕ（式中ｕは１〜１２の整数を意味する）、−Ｃ（Ｒ２）Ｈ−および−Ｃ（Ｒ２）ＨＣＨ２（式中、Ｒ２はメチルまたはエチルを示す）から成る群から選択された基を示す］の化合物および
反復単位Ｖ
【化４】
2007533770.tif 000004
［式中、式中Ｒ３は水素、Ｃ１〜Ｃ６−アルキル、Ｃ５〜Ｃ８−シクロアルキル、非置換またはＣ１〜Ｃ４−アルキル基で１個、２個または３個置換されたフェニルであるか、あるいはテトラヒドロフリルを意味する］を有するポリオキサゾリンから成る群から選択された少なくとも１種のアミノカルボン酸またはｃ１）〜ｃ６）から成る混合物から選択された成分、および、
（Ｄ）ｄ１）少なくとも３個のエステル形成可能な基を有する少なくとも１個の化合物、
ｄ２）少なくとも１種のイソシアネート、
ｄ３）少なくとも１種のジビニルエーテルまたはｄ１）〜ｄ３）から成る混合物から選択された成分、から重合されている、請求項１に記載の生分解性ポリエステル混合物。
【請求項３】
成分ｉｉがデンプン、セルロース、リグニン、木材および穀類の群から選択された少なくとも１種の材料である、請求項１または２に記載の生分解性ポリエステル混合物。
【請求項４】
成分ｉ〜ｉｉの全質量に対して、成分ｉ  １０〜７０質量％および成分ｉｉ  ３０〜９０質量％を含有する、請求項１から３までのいずれか１項に記載の生分解性ポリエステル混合物。
【請求項５】
成分ｉ〜ｉｉの全質量に対して、成分ｉｉｉ  ０．５〜１０質量％を含有する、請求項１から４までのいずれか１項に記載の生分解性ポリエステル混合物。
【請求項６】
成分ｉ、ｉｉおよびｉｉｉを一工程で混合し、かつラジカル開始剤の存在下または不在下で反応させることを特徴とする、請求項１から５までのいずれか１項に記載の生分解性ポリエステル混合物の製造方法。
【請求項７】
第１工程で、成分ｉｉｉと成分ｉまたはｉｉのいずれか一方を混合し、かつラジカル開始剤の存在下または不在下で反応させ、かつ第２工程で、添加されていない成分ｉｉまたはｉを混合し、かつ反応させることを特徴とする、請求項１から５までのいずれか１項に記載の生分解性ポリエステル混合物の製造方法。
【請求項８】
ブレンド、成形体、フィルム、シートまたは繊維を製造するための、請求項１から５までのいずれか１項に記載の生分解性ポリエステル混合物の使用。
【請求項９】
請求項１から５までのいずれか１項に記載の生分解性ポリエステル混合物を含有する、ブレンド、成形体、フィルム、シートまたは繊維。
【手続補正書】
【提出日】平成20年4月2日(2008.4.2)
【手続補正１】
【補正対象書類名】特許請求の範囲
【補正対象項目名】全文
【補正方法】変更
【補正の内容】
【特許請求の範囲】
【請求項１】
肺高血圧症の治療、予防、又は管理のための医薬組成物であって、免疫調節性化合物或いは医薬として許容し得るその塩、溶媒和物、又は立体異性体を含む、前記医薬組成物。
【請求項２】
第２活性剤をさらに含む、請求項１記載の医薬組成物。
【請求項３】
前記第２活性剤が、肺動脈圧又は肺高血圧症の症状を低下させ得るものである、請求項２記載の医薬組成物。
【請求項４】
前記第２活性剤が、抗凝血薬、利尿薬、強心配糖体、カルシウムチャネル遮断薬、血管拡張薬、プロスタサイクリン類似体、エンドセリン拮抗薬、ホスホジエステラーゼ阻害剤、エンドペプチダーゼ阻害剤、脂質低下薬、又はトロンボキサン阻害剤である、請求項２記載の医薬組成物。
【請求項５】
前記第２活性剤が、アムロジピン、ジルチアゼム、ニフェジピン、エポプロステノール、トレプロスチニル、ボセンタン、ワルファリン、タダラフィル、シムバスタチン、オマパトリラート、イルベサルタン、プラバスタチン、ジゴキシン、一酸化窒素、Ｌ−アルギニン、イロプロスト、ベタプロスト、又はシルデナフィルである、請求項２記載の医薬組成物。
【請求項６】
前記肺高血圧症が、原発性肺高血圧症又は続発性肺高血圧症である、請求項１記載の医薬組成物。
【請求項７】
前記肺高血圧症が、機能分類Ｉ、ＩＩ、ＩＩＩ、又はＩＶの肺高血圧症である、請求項１記載の医薬組成物。
【請求項８】
前記免疫調節性化合物が、鏡像異性的に純粋である、請求項１記載の医薬組成物。
【請求項９】
前記免疫調節性化合物が、４−（アミノ）−２−（２，６−ジオキソ（３−ピペリジル））−イソインドリン−１，３−ジオンである、請求項１記載の医薬組成物。
【請求項１０】
前記免疫調節性化合物が、鏡像異性的に純粋である、請求項９記載の医薬組成物。
【請求項１１】
前記免疫調節性化合物が、３−（４−アミノ−１−オキソ−１，３−ジヒドロ−イソインドール−２−イル）−ピペリジン−２，６−ジオンである、請求項１記載の医薬組成物。
【請求項１２】
前記免疫調節性化合物が、鏡像異性的に純粋である、請求項１１記載の医薬組成物。
【請求項１３】
前記免疫調節性化合物が、下記式（Ｉ）を有する、請求項１記載の医薬組成物：
【化１】
2007533761.tif 000001
（式中、Ｘ及びＹの一方はＣ＝Ｏであり、Ｘ及びＹの他方はＣ＝Ｏ又はＣＨ２であり、Ｒ２は、水素原子又は低級アルキルである。）。
【請求項１４】
前記免疫調節性化合物が、鏡像異性的に純粋である、請求項１３記載の医薬組成物。
【請求項１５】
前記免疫調節性化合物が、下記式（ＩＩ）を有する、請求項１記載の医薬組成物：
【化２】
2007533761.tif 000002
（式中、Ｘ及びＹの一方はＣ＝Ｏであり、他方はＣＨ２又はＣ＝Ｏであり；
Ｒ１は、Ｈ、（Ｃ１〜Ｃ８）アルキル、（Ｃ３〜Ｃ７）シクロアルキル、（Ｃ２〜Ｃ８）アルケニル、（Ｃ２〜Ｃ８）アルキニル、ベンジル、アリール、（Ｃ０〜Ｃ４）アルキル−（Ｃ１〜Ｃ６）ヘテロシクロアルキル、（Ｃ０〜Ｃ４）アルキル−（Ｃ２〜Ｃ５）ヘテロアリール、Ｃ（Ｏ）Ｒ３、Ｃ（Ｓ）Ｒ３、Ｃ（Ｏ）ＯＲ４、（Ｃ１〜Ｃ８）アルキル−Ｎ（Ｒ６）２、（Ｃ１〜Ｃ８）アルキル−ＯＲ５、（Ｃ１〜Ｃ８）アルキル−Ｃ（Ｏ）ＯＲ５、Ｃ（Ｏ）ＮＨＲ３、Ｃ（Ｓ）ＮＨＲ３、Ｃ（Ｏ）ＮＲ３Ｒ３’、Ｃ（Ｓ）ＮＲ３Ｒ３’、又は（Ｃ１〜Ｃ８）アルキル−Ｏ（ＣＯ）Ｒ５であり；
Ｒ２は、Ｈ、Ｆ、ベンジル、（Ｃ１〜Ｃ８）アルキル、（Ｃ２〜Ｃ８）アルケニル、又は（Ｃ２〜Ｃ８）アルキニルであり；
Ｒ３及びＲ３’は、独立に、（Ｃ１〜Ｃ８）アルキル、（Ｃ３〜Ｃ７）シクロアルキル、（Ｃ２〜Ｃ８）アルケニル、（Ｃ２〜Ｃ８）アルキニル、ベンジル、アリール、（Ｃ０〜Ｃ４）アルキル−（Ｃ１〜Ｃ６）ヘテロシクロアルキル、（Ｃ０〜Ｃ４）アルキル−（Ｃ２〜Ｃ５）ヘテロアリール、（Ｃ０〜Ｃ８）アルキル−Ｎ（Ｒ６）２、（Ｃ１〜Ｃ８）アルキル−ＯＲ５、（Ｃ１〜Ｃ８）アルキル−Ｃ（Ｏ）ＯＲ５、（Ｃ１〜Ｃ８）アルキル−Ｏ（ＣＯ）Ｒ５、又はＣ（Ｏ）ＯＲ５であり；
Ｒ４は、（Ｃ１〜Ｃ８）アルキル、（Ｃ２〜Ｃ８）アルケニル、（Ｃ２〜Ｃ８）アルキニル、（Ｃ１〜Ｃ４）アルキル−ＯＲ５、ベンジル、アリール、（Ｃ０〜Ｃ４）アルキル−（Ｃ１〜Ｃ６）ヘテロシクロアルキル、又は（Ｃ０〜Ｃ４）アルキル−（Ｃ２〜Ｃ５）ヘテロアリールであり；
Ｒ５は、（Ｃ１〜Ｃ８）アルキル、（Ｃ２〜Ｃ８）アルケニル、（Ｃ２〜Ｃ８）アルキニル、ベンジル、アリール、又は（Ｃ２〜Ｃ５）ヘテロアリールであり；
Ｒ６は、出現のたびに独立に、Ｈ、（Ｃ１〜Ｃ８）アルキル、（Ｃ２〜Ｃ８）アルケニル、（Ｃ２〜Ｃ８）アルキニル、ベンジル、アリール、（Ｃ２〜Ｃ５）ヘテロアリール、又は（Ｃ０〜Ｃ８）アルキル−Ｃ（Ｏ）Ｏ−Ｒ５であり、或いはＲ６基は、ヘテロシクロアルキル基が形成されるように結合し；
ｎは、０又は１であり；
＊は、キラル−炭素中心を表す。）。
【請求項１６】
前記免疫調節性化合物が、鏡像異性的に純粋である、請求項１５記載の医薬組成物。
【請求項１７】
前記免疫調節性化合物が、置換スチレンのシアノ又はカルボキシ誘導体、１−オキソ−２−（２，６−ジオキソ−３−フルオロピペリジン−３イル）イソインドリン、１，３−ジオキソ−２−（２，６−ジオキソ−３−フルオロピペリジン−３−イル）イソインドリン、又は四置換２−（２，６−ジオキソピペリジン−３−イル）−１−オキソイソインドリンである、請求項１記載の医薬組成物。
【請求項１８】
前記免疫調節性化合物が、鏡像異性的に純粋である、請求項１７記載の医薬組成物。
【手続補正書】
【提出日】平成20年5月29日(2008.5.29)
【手続補正１】
【補正対象書類名】特許請求の範囲
【補正対象項目名】全文
【補正方法】変更
【補正の内容】
【特許請求の範囲】
【請求項１】
ラベル包装材と、前記ラベル包装材中に収容した有効量の高分子量ポリエチレングリコール様(HMW PEG様)化合物とを含む製造品であって、
前記ラベル包装材は、前記HMW PEG様化合物を、炎症性上皮とバリア機能障害を含む上皮とからなる群から選ばれる症状を治療、改善または予防するのに使用可能であることを表示するラベルまたは添付文書を含む、前記製造品。
【請求項２】
HMW PEG様化合物が、高分子量ポリアルカン、ポリアルケンまたはポリアルキレングリコールである、請求項１記載の製造品。
【請求項３】
高分子量(HMW)ポリアルカン、ポリアルケンまたはポリアルキレングリコールが、HMWポリプロピレングリコール、HMWポリエチレングリコール(HMW PEG)、HMWポリメトキシPEG、HMWモノメトキシPEG、HMWポリプロピレングリコールおよびこれらの混合物からなる群から選ばれる、請求項２記載の製造品。
【請求項４】
直鎖C1〜C10アルコキシ基、枝分れ鎖C1〜C10アルコキシ基、C1〜C10アリールオキシ基およびこれらの混合物からなる群から選ばれる少なくとも１の共有結合官能基をさらに含む、請求項３記載の製造品。
【請求項５】
直鎖C1〜C10アルキル基、枝分れ鎖C1〜C10アルキル基、アリール基およびこれらの混合物からなる群から選ばれるリンカーをさらに含む、請求項２記載の製造品。
【請求項６】
HMW PEG様化合物が、12,000ダルトンよりも大きい平均分子量を有する、請求項２記載の製造品。
【請求項７】
平均分子量が、少なくとも15,000ダルトンである、請求項６記載の製造品。
【請求項８】
平均分子量が、15,000ダルトンよりも大きく且つ20,000ダルトン未満である、請求項７記載の製造品。
【請求項９】
ラベル包装材が、該化合物を投与して上皮の炎症および上皮のバリア機能障害からなる群から選ばれる症状を治療、改善または予防するための使用説明書を提供する、請求項１記載の製造品。
【請求項１０】
治療上有効量の治療薬をさらに含む、請求項１記載の製造品。
【請求項１１】
治療薬が、共生微生物製剤、少なくとも１種の共生微生物に由来する組成物、鎮痛性化合物、抗炎症性化合物、免疫系のモジュレーター、抗生物質、抗がん剤、抗潰瘍剤、成長因子、サイトカイン、タンパク質ホルモン、トレフォイルタンパク質、5-アミノサリチレート、5-アミノサリチレート部分を含む化合物、コルチコステロイド、メトトレキサート、6-メルカプトプリン、シクロスポリン、バンコマイシン、メトロニダゾール、セファロスポリン、タキサン、タキサン部分を含む化合物、カンプトセシン、カンプトセシン部分を含む化合物、5-フルオロウラシル、5-フルオロウラシル部分を含む化合物、抗アンドロゲン化合物、抗エストロゲン化合物、上皮成長因子、腸トレフォイル因子、インスリン、ソマトスタチン、インターフェロンおよびこれらの混合物からなる群から選ばれる、請求項１０記載の製造品。
【請求項１２】
治療薬が共生乳酸菌である、請求項１１記載の製造品。
【請求項１３】
治療薬が、ラクトバシルスGG (LGG)、VSL#3およびこれらの混合物からなる群から選ばれる微生物製剤である、請求項１２記載の製造品。
【請求項１４】
高分子量（HMW）PEG様化合物の使用であって、治療を必要とする対象者の上皮を治療する前記HMW PEG様化合物及び治療薬を含む薬剤を製造するための、前記使用。
【請求項１５】
治療薬が、共生微生物製剤、少なくとも１種の共生微生物に由来する組成物、鎮痛性化合物、抗炎症性化合物、免疫系のモジュレーター、抗生物質、抗がん剤、抗潰瘍剤、成長因子、サイトカイン、タンパク質ホルモン、トレフォイルタンパク質、5-アミノサリチレート、5-アミノサリチレート部分を含む化合物、コルチコステロイド、メトトレキサート、6-メルカプトプリン、シクロスポリン、バンコマイシン、メトロニダゾール、セファロスポリン、タキサン、タキサン部分を含む化合物、カンプトセシン、カンプトセシン部分を含む化合物、5-フルオロウラシル、5-フルオロウラシル部分を含む化合物、抗アンドロゲン化合物、抗エストロゲン化合物、上皮成長因子、腸トレフォイル因子、インスリン、ソマトスタチン、インターフェロンおよびこれらの混合物からなる群から選ばれる、請求項１４記載の使用。
【請求項１６】
HMW PEG様化合物がHMW PEGである、請求項１４記載の使用。
【請求項１７】
上皮が、腸粘膜、肺粘膜、鼻粘膜、尿道粘膜、食道粘膜、頬粘膜および皮膚からなる群から選ばれる、請求項１４記載の使用。
【請求項１８】
対象者がヒトである、請求項１４記載の使用。
【請求項１９】
治療薬がPA-Iレクチン/付着因子である、請求項１４記載の使用。
【請求項２０】
対象者の上皮の微生物介在性症状を治療する薬剤の製造における
直鎖C1〜C10アルコキシ基、枝分れ鎖C1〜C10アルコキシ基、C1〜C10アリールオキシ基およびこれらの混合物からなる群から選ばれる少なくとも１個の共有結合官能基をさらに含むHMW PEGの使用。
【請求項２１】
対象者がヒトである、請求項２０記載の使用。
【請求項２２】
上皮が、腸粘膜、肺粘膜、鼻粘膜、尿道粘膜、膣粘膜、食道粘膜、頬粘膜および皮膚からなる群から選ばれる、請求項２０記載の使用。
【請求項２３】
消化管由来敗血症、炎症性腸疾患、過敏性腸症候群、上皮に対する熱傷、上皮に対する化学薬品接触損傷、新生児壊死性全腸炎、免疫障害、重症好中球減少症、中毒性大腸炎、腸疾患、移植片拒絶反応、回腸嚢炎、ピッグベリー症、コレラ、粘膜炎症、皮膚の炎症、白血病、リンパ腫、AIDS、乾癬、炎症性腸疾患、紅斑性狼瘡、強皮症、関節リウマチ、化学療法誘導性免疫障害、放射線誘導性免疫障害およびこれらの組合せからなる群から選ばれる症状の症候を改善するための薬物の製造におけるHMW PEG様化合物の使用であって、  前記HMW PEG様化合物が、直鎖C1〜C10アルコキシ基、枝分れ鎖C1〜C10アルコキシ基、C1〜C10アリールオキシ基およびこれらの混合物からなる群から選ばれる少なくとも１個の共有結合官能基をさらに含むHMW PEGである、前記使用。
【請求項２４】
消化管由来敗血症、炎症性腸疾患、過敏性腸症候群、上皮に対する熱傷、上皮に対する化学薬品接触損傷、新生児壊死性全腸炎、免疫障害、重症好中球減少症、中毒性大腸炎、腸疾患、移植片拒絶反応、回腸嚢炎、ピッグベリー症、コレラ、粘膜炎症、皮膚の炎症、白血病、リンパ腫、AIDS、乾癬、炎症性腸疾患、紅斑性狼瘡、強皮症、関節リウマチ、化学療法誘導性免疫障害、放射線誘導性免疫障害およびこれらの組合せからなる群から選ばれる症状を予防するための薬物の製造におけるHMW PEG様化合物の使用であって、
前記HMW PEG様化合物が、直鎖C1〜C10アルコキシ基、枝分れ鎖C1〜C10アルコキシ基、C1〜C10アリールオキシ基およびこれらの混合物からなる群から選ばれる少なくとも１個の共有結合官能基をさらに含むHMW PEGである、前記使用。
【手続補正書】
【提出日】平成20年3月12日(2008.3.12)
【手続補正１】
【補正対象書類名】特許請求の範囲
【補正対象項目名】全文
【補正方法】変更
【補正の内容】
【特許請求の範囲】
【請求項１】
肺高血圧症の治療、又は予防のための医薬組成物であって、サリドマイド、或いはその医薬として許容される塩、溶媒和化合物、又は立体異性体を含む、前記医薬組成物。
【請求項２】
更に、第二の活性成分を含む、請求項１記載の医薬組成物。
【請求項３】
前記第二の活性成分が、肺高血圧症の肺動脈圧又は症状を減少することができる、請求項２記載の医薬組成物。
【請求項４】
前記第二の活性成分が、抗凝血薬、利尿薬、強心配糖体、カルシウム拮抗剤、血管拡張薬、プロスタサイクリン類似体、エンドセリンアンタゴニスト、ホスホジエステラーゼ阻害剤、エンドペプチダーゼ阻害剤、高脂血症治療薬、又はトロンボキサン阻害剤である、請求項２記載の医薬組成物。
【請求項５】
前記第二の活性成分が、アムロジピン、ジルチアゼム、ニフェジピン、エポプロステノール、トレプロスチニル、ボセンタン、ワーファリン、タダラフィル、シンバスタチン、オマパトリラート、イルベサルタン、プラバスタチン、ジゴキシン、一酸化窒素、Ｌ−アルギニン、イロプロスト、ベタプロスト、又はシルデナフィルである、請求項２記載の医薬組成物。
【請求項６】
前記肺高血圧症が、原発性肺高血圧症又は二次性肺高血圧症である、請求項１記載の医薬組成物。
【請求項７】
前記肺高血圧症が、機能クラスＩ、ＩＩ、ＩＩＩ又はＩＶの肺高血圧症である、請求項１記載の医薬組成物。
【手続補正書】
【提出日】平成20年5月20日(2008.5.20)
【手続補正１】
【補正対象書類名】特許請求の範囲
【補正対象項目名】全文
【補正方法】変更
【補正の内容】
【特許請求の範囲】
【請求項１】
酸化窒素(ＮＯ)ドナー生物活性を提供するグループを含み、Ｃ−ニトロソ化合物またはシクロオキシゲナーゼ阻害剤ではない、活性酸素生成酵素阻害剤。
【請求項２】
キサンチンオキシダーゼ阻害剤である、請求項１記載の阻害剤。
【請求項３】
１,５−ビス(３−ニトロオキシプロピル)−１,５−ジヒドロ−４Ｈ−ピラゾロ[３,４−ｄ]ピリミジン−４−オンである、請求項２記載の阻害剤。
【請求項４】
硝酸エステルである、請求項１記載の阻害剤。
【請求項５】
請求項１に記載の阻害剤を含む、酸化ストレスが関連する障害の処置用医薬組成物。
【請求項６】
障害が心不全であり、その投与により急性冠血管症状および／または心筋梗塞の改善が仲介される、請求項５記載の組成物。
【請求項７】
阻害剤が１,５−ビス(３−ニトロオキシプロピル)−１,５−ジヒドロ−４Ｈ−ピラゾロ[３,４−ｄ]ピリミジン−４−オンを含む、請求項６記載の組成物。
【請求項８】
障害が安定狭心症であり、その投与により疼痛の軽減または消失が仲介される、請求項５記載の組成物。
【請求項９】
阻害剤が１,５−ビス(３−ニトロオキシプロピル)−１,５−ジヒドロ−４Ｈ−ピラゾロ[３,４−ｄ]ピリミジン−４−オンを含む、請求項８記載の組成物。
【請求項１０】
障害が虚血性再灌流傷害であり、その投与により疼痛、臓器損傷および／または不整脈の症状の改善が仲介される、請求項５記載の組成物。
【請求項１１】
阻害剤が１,５−ビス(３−ニトロオキシプロピル)−１,５−ジヒドロ−４Ｈ−ピラゾロ[３,４−ｄ]ピリミジン−４−オンを含む、請求項１０記載の組成物。
【請求項１２】
障害が鎌状赤血球疾患であり、その投与により赤血球血管拡張および疼痛または臓器損傷または血流不足または病的凝固の改善が仲介される、請求項５記載の組成物。
【請求項１３】
阻害剤が１,５−ビス(３−ニトロオキシプロピル)−１,５−ジヒドロ−４Ｈ−ピラゾロ[３,４−ｄ]ピリミジン−４−オンを含む、請求項１２記載の組成物。
【請求項１４】
酸素の保存および血管拡張の仲介に有効な量の請求項１記載の阻害剤を含む、虚血性傷害の処置用組成物。
【請求項１５】
障害が鎌状赤血球疾患、心不全、狭心症および肺炎症から成る群から選択される、請求項１４記載の組成物。
【請求項１６】
阻害剤が１,５−ビス(３−ニトロオキシプロピル)−１,５−ジヒドロ−４Ｈ−ピラゾロ[３,４−ｄ]ピリミジン−４−オンである、請求項１５記載の組成物。
【請求項１７】
請求項１に記載の阻害剤を含む、適切な酸素利用に適合した心筋、骨格筋または平滑筋の構築を必要とする患者においてそれらを提供するための組成物。
【請求項１８】
心筋の適切な構築を必要とする患者が心不全を患っており、骨格筋の適切な構築を必要とする患者が、骨格筋力低下および呼吸不全から成る群から選択される障害を患っており、そして平滑筋の適切な構築を必要とする患者が狭心症を患っている、請求項１７記載の組成物。
【請求項１９】
阻害剤が１,５−ビス(３−ニトロオキシプロピル)−１,５−ジヒドロ−４Ｈ−ピラゾロ[３,４−ｄ]ピリミジン−４−オンである、請求項１８記載の組成物。
【請求項２０】
阻害剤が硝酸エステルである、請求項５記載の組成物。
【請求項２１】
障害がアテローム性動脈硬化症であり、その投与により高脂血症の改善が仲介される、請求項５記載の組成物。
【請求項２２】
阻害剤が１,５−ビス(３−ニトロオキシプロピル)−１,５−ジヒドロ−４Ｈ−ピラゾロ[３,４−ｄ]ピリミジン−４−オンである、請求項２１記載の組成物。
【請求項２３】
障害がパーキンソン病であり、その投与により振せんおよび運動の問題の改善が仲介される、請求項５記載の組成物。
【請求項２４】
阻害剤が１,５−ビス(３−ニトロオキシプロピル)−１,５−ジヒドロ−４Ｈ−ピラゾロ[３,４−ｄ]ピリミジン−４−オンである、請求項２３記載の組成物。
【請求項２５】
障害がアルツハイマー病であり、その投与により認知機能の安定化が仲介される、請求項５記載の組成物。
【請求項２６】
阻害剤が１,５−ビス(３−ニトロオキシプロピル)−１,５−ジヒドロ−４Ｈ−ピラゾロ[３,４−ｄ]ピリミジン−４−オンである、請求項２５記載の組成物。
【請求項２７】
障害が糖尿病関連下肢痛であり、その投与により下肢痛の軽減および歩行距離延長が仲介される、請求項５記載の組成物。
【請求項２８】
阻害剤が１,５−ビス(３−ニトロオキシプロピル)−１,５−ジヒドロ−４Ｈ−ピラゾロ[３,４−ｄ]ピリミジン−４−オンである、請求項２７記載の組成物。
【請求項２９】
障害がＡＬＳであり、その投与により進行性悪化の減速が仲介される、請求項５記載の組成物。
【請求項３０】
阻害剤が１,５−ビス(３−ニトロオキシプロピル)−１,５−ジヒドロ−４Ｈ−ピラゾロ[３,４−ｄ]ピリミジン−４−オンである、請求項２９記載の組成物。
【請求項３１】
障害が喘息であり、その投与によりステロイド使用の好結果のテーパリングが仲介される、請求項５記載の組成物。
【請求項３２】
阻害剤が１,５−ビス(３−ニトロオキシプロピル)−１,５−ジヒドロ−４Ｈ−ピラゾロ[３,４−ｄ]ピリミジン−４−オンである、請求項３１記載の組成物。
【手続補正書】
【提出日】平成20年4月14日(2008.4.14)
【手続補正１】
【補正対象書類名】特許請求の範囲
【補正対象項目名】全文
【補正方法】変更
【補正の内容】
【特許請求の範囲】
【請求項１】
Ｃ３ないしＣ４０オレフィンの１種類以上を少なくとも５０ｍｏｌ％含むＣ３ないしＣ４０オレフィンポリマーオレフィンポリマー含有組成物であって、前記オレフィンポリマーは：
ａ）クラフト紙におけるドット式Ｔ型はく離が１ニュートン以上；
ｂ）Ｍｗが１０，０００ないし１００，０００；および
ｃ）前記ポリマーのＭｗが１０，０００ないし６０，０００である場合には前記ポリマーのＭｚで測定した際の枝分かれ指数（ｇ’）が０．９８以下、または前記ポリマーのＭｗが１０，０００ないし１００，０００である場合には前記ポリマーのＭｚで測定した際の枝分かれ指数（ｇ’）が０．９５以下であり；
前記Ｃ３ないしＣ４０オレフィンポリマーが少なくとも０．００１重量％の官能基を含む組成物。
【請求項２】
官能化前の前記Ｃ３ないしＣ４０オレフィンポリマーが、ホモポリプロピレン、またはプロピレンと最大５モル％までのエチレンとのコポリマーであり：
ａ）アイソタクチック・ランレングス（run length）が１ないし３０、
ｂ）ｒダイアド（r dyad）のパーセントが２０％より大きく、
ｃ）融解熱が１ないし７０Ｊ／ｇ
である請求項１記載の組成物。
【請求項３】
官能化前の前記Ｃ３ないしＣ４０オレフィンポリマーが１９０℃で７０００ｍＰａ・ｓｅｃ以下の溶融粘度を有する請求項１または請求項２に記載の組成物。
【請求項４】
官能化前のＣ３ないしＣ４０オレフィンポリマーが前記ポリマーのＭｚで測定した場合に０．９０以下の枝分かれ指数を有する請求項１ないし請求項３のいずれかの項に記載の組成物。
【請求項５】
官能化前の前記Ｃ３ないしＣ４０オレフィンポリマーのＳＥＣグラフがバイまたはマルチモーダルである請求項１ないし請求項４のいずれかの項に記載の組成物。
【請求項６】
官能化前の前記Ｃ３ないしＣ４０オレフィンポリマーが：
ａ）−１０℃以下のＴｇ；
ｂ）２０００から６０００ｍＰａ・ｓｅｃの間の溶融粘度；
ｃ）少なくとも５の分子量分布（Ｍｗ／Ｍｎ）；および
ｄ）前記ポリマーのバイまたはマルチモーダルＳＥＣグラフ
を有する請求項１ないし請求項５のいずれかの項に記載の組成物。
【請求項７】
官能化前の前記Ｃ３ないしＣ４０オレフィンポリマーが２０重量％以上のヘキサン室温可溶性フラクションと、５０重量％以下のソックスレーヘプタン不溶性物質とを有する請求項１ないし請求項６のいずれかの項に記載の組成物。
【請求項８】
官能化前の前記Ｃ３ないしＣ４０オレフィンポリマーが３．０モル％未満のエチレンを含む請求項１ないし請求項７のいずれかの項に記載の組成物。
【請求項９】
前記不飽和基がマレイン酸および／または無水マレイン酸を含む請求項１ないし請求項８のいずれかの項に記載の組成物。
【請求項１０】
前記組成物が５秒以下のセット時間を有する請求項１ないし請求項９のいずれかの項に記載の組成物。
【請求項１１】
前記Ｃ３ないしＣ４０オレフィンポリマーが無水マレイン酸、無水シトラコン酸、２−メチルマレイン酸無水物、２−クロロマレイン酸無水物、２，３−ジメチルマレイン酸無水物、ビシクロ［２，２，１］−５−ヘプテン−２，３−ジカルボン酸無水物、４−メチル−４−シクロヘキセン−１，２−ジカルボン酸無水物、アクリル酸、メタクリル酸、マレイン酸、フマル酸、イタコン酸、シトラコン酸、メサコン酸、クロトン酸、ビシクロ（２．２．２）オクト−５−エン−２，３−ジカルボン酸無水物、１，２，３，４，５，＆ｇ，ｌｏ−オクタヒドロナフタレン−２，３−ジカルボン酸無水物、２−オキサー１，３−ジケトスピロ（４．４）ノン−７−エン、ビシクロ（２．２．１）ヘプト−５−エン−２，３−ジカルボン酸無水物、マレオピマル酸、テトラヒドロフタル酸無水物、ノルボルン−５−エン−２，３−ジカルボン酸無水物、ナド酸無水物、メチルナド酸無水物、ハイミック酸無水物、メチルハイミック酸無水物、ｘ−メチル−ビシクロ（２．２．１）ヘプト−５−エン−２，３−ジカルボン酸無水物（ＸＭＮＡ）、メチルアクリレート、エチルアクリレート、ブチルアクリレート、メチルメタクリレート、エチルメタクリレート、ブチルメタクリレート、ビニルトリクロロシラン、ビニルトリス（ベータ−メトキシエトキシ）シラン、ビニルトリエトキシシラン、ビニルトリメトキシシラン、ガンマ−メタクリロキシプロピルトリメトキシシラン、モノビニルシラン、モノアリルシラン、塩化ビニル、または塩化ビニリデンの１種類以上によって官能化される請求項１ないし請求項１０のいずれかの項に記載の組成物。
【請求項１２】
前記組成物がさらにまた、メタロセンポリエチレン類またはメタロセンポリプロピレン類からなる群から選択される別のポリマーを含む請求項１ないし請求項１１のいずれかの項に記載の組成物。
【請求項１３】
前記組成物が１種類以上のＣ３ないしＣ４０オレフィンを少なくとも５０ｍｏｌ％含む非官能化Ｃ３ないしＣ４０オレフィンポリマーをさらに含み、前記オレフィンポリマーは；
ａ）クラフト紙におけるドット式Ｔ型はく離が１ニュートン以上；
ｂ）Ｍｗが１０，０００ないし１００，０００；および
ｃ）前記ポリマーが１０，０００ないし６０，０００のＭｗを有する場合には前記ポリマーのＭｚで測定した際の枝分かれ指数（ｇ’）が０．９８以下、または前記ポリマーが１０，０００ないし１００，０００のＭｗを有する場合には前記ポリマーのＭｚで測定した際の枝分かれ指数（ｇ’）が０．９５以下
である請求項１ないし請求項１２のいずれかの項に記載の組成物。
【請求項１４】
さらに約０．１ないし約５０重量％の粘着付与剤、フィラー、抗酸化剤、アジュバント、接着促進剤、油、可塑剤、ブロック剤、抗ブロック剤、顔料、加工助剤、ＵＶ安定剤、中和剤、滑剤、界面活性剤、核剤、カップリング剤、カラーマスターバッチ、５０００未満のＭｎを有するポリマー、極性ワックス、無極性ワックス、官能化ワックス、ポリプロピレンワックス、ポリエチレンワックス、ワックス改質剤、エラストマー、耐衝撃コポリマー、エステルポリマー、架橋剤、またはこれらの組み合わせをさらに含む請求項１ないし請求項１３のいずれかの項に記載の組成物。
【請求項１５】
請求項１ないし請求項１４のいずれかの項に記載の組成物を含むホットメルト接着剤。
【手続補正書】
【提出日】平成20年4月8日(2008.4.8)
【手続補正１】
【補正対象書類名】特許請求の範囲
【補正対象項目名】全文
【補正方法】変更
【補正の内容】
【特許請求の範囲】
【請求項１】
感受性腫瘍の治療のための併用療法における使用のための医薬の製造における、配列番号１に示されるヌクレオチド配列からなるアンチセンスオリゴヌクレオチド（ここに、ヌクレオシド間結合はすべてホスホロチオエート結合であり、５’末端における４の核酸塩基はそれぞれ２’−Ｏ−メトキシエチル糖を含み、３’末端における４の核酸塩基はそれぞれ２’−Ｏ−メトキシエチル糖を含み、中央の１０の核酸塩基は２’−デオキシヌクレオチドであり、シトシン残基はすべて５−メチルシトシンであり、該アンチセンスオリゴヌクレオチドはナトリウム塩の形態である）の使用であって、該医薬がゲムシタビン塩酸塩と組み合わせて投与される、使用。
【請求項２】
アンチセンスオリゴヌクレオチドがゲムシタビン塩酸塩の投与と同時に任意の順序にて投与される、請求項１記載の使用。
【請求項３】
アンチセンスオリゴヌクレオチドおよびゲムシタビン塩酸塩が治療有効期間内に任意の順序にて分別投与される、請求項１記載の使用。
【請求項４】
併用療法が非経口経路を介する、請求項１から３のいずれか記載の使用。
【請求項５】
非経口経路が静脈内投与である、請求項４記載の使用。
【請求項６】
静脈内投与が緩慢注入である、請求項５記載の使用。
【請求項７】
アンチセンスオリゴヌクレオチドおよびゲムシタビン塩酸塩がそれぞれ滅菌注射用溶液の形態である、請求項１から６のいずれか記載の使用。
【請求項８】
感受性腫瘍が膵臓癌、肺癌、乳癌、卵巣癌、膀胱癌、肝細胞癌、結腸直腸癌およびリンパ腫からなる群から選択される癌である、請求項１から７のいずれか記載の使用。
【請求項９】
感受性腫瘍が肝細胞癌である、請求項８記載の使用。
【請求項１０】
配列番号１に示されるヌクレオチド配列からなるアンチセンスオリゴヌクレオチド（ここに、ヌクレオシド間結合はすべてホスホロチオエート結合であり、５’末端における４の核酸塩基はそれぞれ２’−Ｏ−メトキシエチル糖を含み、３’末端における４の核酸塩基はそれぞれ２’−Ｏ−メトキシエチル糖を含み、中央の１０の核酸塩基は２’−デオキシヌクレオチドであり、シトシン残基はすべて５−メチルシトシンであり、該アンチセンスオリゴヌクレオチドはナトリウム塩の形態である）と感受性腫瘍の治療における使用のための併用製剤としてのゲムシタビン塩酸塩を含む、製品。
【請求項１１】
アンチセンスオリゴヌクレオチドおよびゲムシタビン塩酸塩がそれぞれ滅菌注射用溶液の形態である、請求項１０記載の製品。
【手続補正２】
【補正対象書類名】明細書
【補正対象項目名】発明の名称
【補正方法】変更
【補正の内容】
【発明の名称】癌治療のためのスルビビンオリゴヌクレオチドおよびゲムシタビンを含む組成物
【手続補正書】
【提出日】平成20年4月21日(2008.4.21)
【手続補正１】
【補正対象書類名】特許請求の範囲
【補正対象項目名】全文
【補正方法】変更
【補正の内容】
【特許請求の範囲】
【請求項１】
哺乳動物において排卵を刺激するための組成物であって、Ｋｉｓｓ−１由来タンパク質を含んで成り、哺乳動物に投与されることを特徴とする、前記組成物。
【請求項２】
Ｋｉｓｓ−１由来タンパク質が、配列番号：２の配列を含んで成る成熟Ｋｉｓｓ−１タンパク質である、請求項１に記載の組成物。
【請求項３】
Ｋｉｓｓ−１由来タンパク質が、成熟Ｋｉｓｓ−１タンパク質から得られるペプチドである、請求項１に記載の組成物。
【請求項４】
Ｋｉｓｓ−１由来タンパク質が、ＧＰＣＲ５４受容体を活性化することのできるＫｉｓｓ−１由来ペプチドである、請求項１に記載の組成物。
【請求項５】
Ｋｉｓｓ−１由来タンパク質が、配列番号：７のアミノ酸配列を含んで成るペプチドである、請求項１に記載の組成物。
【請求項６】
Ｋｉｓｓ−１由来タンパク質が、配列番号：３の配列を有するペプチド、配列番号：３のペプチドのアナログ、配列番号：３のフラグメント、又は配列番号：３のフラグメントのアナログである、請求項１に記載の組成物。
【請求項７】
配列番号：３のアナログが、配列番号：３の保存的変異体であるペプチドである、請求項６に記載の組成物。
【請求項８】
排卵を刺激する第二の組成物と共に投与されることを更に特徴とする、請求項１に記載の組成物。
【請求項９】
排卵を刺激する第二の組成物が、排卵のホルモン又は化学的刺激薬を含んで成る、請求項８に記載の組成物。
【請求項１０】
排卵の化学的刺激薬が、クエン酸クロミフェン又はレトラゾールである、請求項９に記載の組成物。
【請求項１１】
排卵のホルモン刺激薬が、ヒト閉経期尿性ゴナドトロピン（ｈＭＧ）、卵胞刺激ホルモン（ＦＳＨ）、黄体化ホルモン（ＬＨ）、及びヒト絨毛性ゴナドトロピン（ｈＣＧ）から成る群から選択されるゴナドトロピンホルモンである、請求項９に記載の組成物。
【請求項１２】
ＧｎＲＨアンタゴニストを含んで成る組成物と共に投与されることを更に特徴とする、請求項１１に記載の組成物。
【請求項１３】
ゴナドトロピンがＦＳＨである、請求項１１に記載の組成物。
【請求項１４】
非ＦＳＨゴナドトロピンホルモンを含んで成る組成物と共に投与されることを更に特徴とする、請求項１３に記載の組成物。
【請求項１５】
組成物中のＦＳＨ及びＬＨの量が等しい、請求項１４に記載の組成物。
【請求項１６】
組成物中のＦＳＨの量が、約５〜４５０ＩＵである、請求項１３に記載の組成物。
【請求項１７】
組成物中のＦＳＨの量が、約５〜７５ＩＵである、請求項１３に記載の組成物。
【請求項１８】
ゴナドトロピンホルモンを含んで成る第二の組成物が、注入用に製剤化される、請求項１１に記載の組成物。
【請求項１９】
哺乳動物がヒトである、請求項１に記載の組成物。
【請求項２０】
哺乳動物においてＦＳＨ産生を刺激するための組成物であって、Ｋｉｓｓ−１由来タンパク質を含んで成り、哺乳動物に投与されることを特徴とする、前記組成物。
【請求項２１】
Ｋｉｓｓ−１由来タンパク質が、配列番号：２の配列を含んで成る成熟Ｋｉｓｓ−１タンパク質である、請求項２０に記載の組成物。
【請求項２２】
Ｋｉｓｓ−１由来タンパク質が、成熟Ｋｉｓｓ−１タンパク質から得られるペプチドである、請求項２０に記載の組成物。
【請求項２３】
Ｋｉｓｓ−１由来タンパク質が、Ｇ−タンパク質結合受容体５４を活性化することができるＫｉｓｓ−１由来ペプチドである、請求項２０に記載の組成物。
【請求項２４】
Ｋｉｓｓ−１由来タンパク質が、配列番号：７のアミノ酸配列を含んで成るペプチドである、請求項２０に記載の組成物。
【請求項２５】
Ｋｉｓｓ−１由来タンパク質が、配列番号：３の配列を有するペプチド、配列番号：３のペプチドのアナログ、配列番号：３のフラグメント、又は配列番号：３のフラグメントのアナログである、請求項２０に記載の組成物。
【請求項２６】
配列番号：３のアナログが、配列番号：３の保存的変異体であるペプチドである、請求項２５に記載の組成物。
【請求項２７】
哺乳動物においてＦＳＨ産生を刺激する第二の組成物と共に投与されることを更に特徴とする、請求項２０に記載の組成物。
【請求項２８】
ＦＳＨ産生を刺激する第二の組成物が、抗エストロゲン化合物を含んで成る、請求項２７に記載の組成物。
【請求項２９】
抗エストロゲン化合物が、クロミフェン及びレトラゾールから成る群から選択される、請求項２８に記載の組成物。
【請求項３０】
哺乳動物においてＬＨ産生を刺激するための組成物であって、Ｋｉｓｓ−１由来タンパク質を含んで成り、哺乳動物に投与されることを特徴とする、前記組成物。
【請求項３１】
治療有効量のＫｉｓｓ−１由来ペプチドを含んで成る、対象における低ゴナドトロピン性性機能低下症の１又は複数の症状を軽減するための組成物。
【請求項３２】
対象が雄性の対象である、請求項３１に記載の組成物。
【請求項３３】
対象が雌性の対象である、請求項３１に記載の組成物。
【請求項３４】
不妊症の処置における使用のための、Ｋｉｓｓ−１由来タンパク質を含んで成る組成物。
【請求項３５】
ａ．医薬として許容される製剤中にＫｉｓｓ−１由来タンパク質を含んで成る第一の組成物、及び
ｂ．不妊症の処置のための第二の組成物
を含んで成る、不妊症の処置のためのキット。
【請求項３６】
不妊症の処置のための第二の組成物が、医薬として許容される製剤中にＦＳＨ調製物を含んで成る、請求項３５に記載のキット。
【請求項３７】
ＦＳＨ調製物が、尿性ＦＳＨ調製物及び組み換えＦＳＨから成る群から選択される、請求項３５に記載のキット。
【請求項３８】
ＦＳＨがヒトＦＳＨである、請求項３６に記載のキット。
【請求項３９】
ＦＳＨが、約５ＩＵのＦＳＨ〜約７５ＩＵのＦＳＨの単位用量で存在する、請求項３６に記載のキット。
【請求項４０】
医薬として許容される製剤中に、ＬＨを含んで成る第三の組成物を更に含んで成る、請求項３５に記載のキット。
【請求項４１】
ＬＨが、約７５ＩＵのＬＨ〜約１５０ＩＵのＬＨの単位用量で存在する、請求項４０に記載のキット。
【手続補正書】
【提出日】平成19年7月13日(2007.7.13)
【手続補正１】
【補正対象書類名】特許請求の範囲
【補正対象項目名】全文
【補正方法】変更
【補正の内容】
【特許請求の範囲】
【請求項１】
（ａ）遷移金属系の空気漂白触媒と、
（ｂ）アルファデマスコン、デルタデマスコン、ＩＳＯ  Ｅ  ｓｕｐｅｒ、シンナミックアルデヒド、ヘキシルシンナミックアルデヒド、アルデヒドブチルシンナミック、ベンズアルデヒド、アニシックアルデヒド、リナロール、テトラヒドロリナロール、ウンデカヴェルトール、ゲラニオール、ネロール、シトロネロール、シトラール、オキシドドゥローズ、ゲラニルアセテート、シトロネリルアセテート、クマリン、リナリルアセテート、ゲラニルニトレート、シトロネリルニトリル、シンナモニトリル及びシトロニトリル、アルデヒドアミルシンナミック、メチルアントラニレート、ジ−エチル−アントラニレート、メチル−Ｎ−アセチルアントラニレート、ジフェニルオキシド、ヴェルドックス、ベンジルアセテート、ジオラ、オレンジクリスタル、ペオニル、クローナル、リモネン、カンファー、アントラニレート、ジ−イソブチル−アントラニレート、ヴェルディルアセテート、ピナン、ヴェルトーネ、アルファ−メチルイオノン及びダマスセノンから成るグループから選択された香料成分を含む０．００１−３重量／重量％の香料組成物と、
（ｃ）全漂白組成物が１００重量／重量％になるようなバランス量の担体および補助成分と、
を含む、ｐＨ１０以下を有する液体漂白組成物であって、
前記漂白組成物は全濃度１重量／重量％未満の過酸または過酸化水素もしくはそのソースを含み、
過酸化水素の存在下でアシッドブルー４５に対して示された遷移金属触媒の漂白活性によって測定するかまたはペルオキシル種の非存在下でベータ−カロテンに対して示された漂白活性によって測定した液体漂白組成物の漂白活性が、３７℃で１４日間の保存期間後に、モル均等量のシトロネラルが香料組成物として存在する同じ漂白組成物に比較して少なくとも１０倍に増加している、液体漂白組成物。
【請求項２】
０．０５−２重量／重量％の香料組成物を含む請求項１に記載の漂白組成物。
【請求項３】
液体漂白組成物が６−９の範囲のｐＨを有している請求項１又は２に記載の液体漂白組成物。
【請求項４】
空気漂白触媒が、式（Ｉ）：
【化１】
2007533784.tif 000001
［式中、Ｒの各々は独立に、水素、Ｆ、Ｃｌ、Ｂｒ、ヒドロキシル、Ｃ１−Ｃ４−アルキルＯ−、−ＮＨ−ＣＯ−Ｈ、−ＮＨ−ＣＯ−Ｃ１−Ｃ４−アルキル、−ＮＨ２、−ＮＨ−Ｃ１−Ｃ４−アルキル及びＣ１−Ｃ４−アルキルから選択され、
Ｒ１及びＲ２は独立に、
Ｃ１−Ｃ４−アルキル、
Ｃ６−Ｃ１０−アリール、及び、
遷移金属に配位し得るヘテロ原子を含有している基、
から選択され、この場合、Ｒ１及びＲ２の少なくとも一方がヘテロ原子含有基であり、
Ｒ３及びＲ４は独立に、水素、Ｃ１−Ｃ８アルキル、Ｃ１−Ｃ８−アルキル−Ｏ−Ｃ１−Ｃ８−アルキル、Ｃ１−Ｃ８−アルキル−Ｏ−Ｃ６−Ｃ１０−アリール、Ｃ６−Ｃ１０−アリール、Ｃ１−Ｃ８−ヒドロキシアルキル、及び、−（ＣＨ２）ｎＣ（Ｏ）ＯＲ５及びそれらの混合物から選択され、ここにＲ５は独立に、水素、Ｃ１−Ｃ４−アルキルから選択され、ｎは０−４の整数であり、
ＸはＣ＝Ｏ、−［Ｃ（Ｒ６）２］ｙ−から選択され、ここに、Ｙは０−３であり、Ｒ６の各々は独立に水素、ヒドロキシル、Ｃ１−Ｃ４−アルコキシ及びＣ１−Ｃ４−アルキルから選択される］
を有しているモノマーのＦｅ（ＩＩ）−（ＩＩＩ）−（ＩＶ）−（Ｖ）遷移金属錯体である請求項１から３のいずれか一項に記載の漂白組成物。
【請求項５】
水性環境中の請求項１から４のいずれか一項に記載の漂白組成物で基質を処理する段階と、基質をすすぐ段階と、基質を乾燥する段階とを含む布地のしみを漂白する方法。
【手続補正書】
【提出日】平成20年4月15日(2008.4.15)
【手続補正１】
【補正対象書類名】特許請求の範囲
【補正対象項目名】全文
【補正方法】変更
【補正の内容】
【特許請求の範囲】
【請求項１】
ウイルス感染症の治療に使用するための医薬品の製造における、ＨＡＭＬＥＴまたはそれらの生物学的に活性な改変体、またはこれらのうちいずれかの生物学的に活性なフラグメントから選択されるα−ラクトアルブミンの生物学的に活性な複合体の使用。
【請求項２】
複合体は、それを生物学的に活性な形態に安定化する補因子を含む、請求項１に記載の使用。
【請求項３】
生物学的に活性な複合体は、アポフォールディング状態であるα−ラクトアルブミンまたはα−ラクトアルブミンの変異体、またはこれらのうちいずれかのフラグメント、および該複合体を生物学的に活性な形態に安定化する補因子を含み、ただし、α−ラクトアルブミンまたはそれらの変異体のいずれのフラグメントも、α−ラクトアルブミンのαドメインとβドメインとの境界を形成する領域に相当する領域を含む、請求項１または２に記載の使用。
【請求項４】
補因子は、シスＣ１８：１：９またはＣ１８：１：１１脂肪酸、または類似の立体配置を有する異なる脂肪酸である、請求項３に記載の使用。
【請求項５】
生物学的に活性な複合体は、ＨＡＭＬＥＴを含み、該ＨＡＭＬＥＴは、ｐＨ４.６で沈
殿した乳汁のカゼイン分画から単離すること、陰イオン交換とゲルクロマトグラフィーとの組み合わせ、またはα−ラクトアルブミンを、Ｃ１８：１脂肪酸を特徴とするヒトミルクカゼイン由来の補因子の存在下で、イオン交換クロマトグラフィーで処理することのいずれかによって入手可能である、請求項１〜４のいずれか一項に記載の使用。
【請求項６】
α−ラクトアルブミンの生物学的に活性な複合体は、
（ｉ）シスＣ１８：１：９またはＣ１８：１：１１脂肪酸、または類似の立体配置を有する異なる脂肪酸；および
（ii）カルシウムイオンが除去されているα−ラクトアルブミン、またはカルシウムイオンが除去されているか、もしくは機能的なカルシウム結合部位を有さないα−ラクトアルブミンの変異体；またはこれらのうちいずれかのフラグメント（ただし、いずれのフラ
グメントも、α−ラクトアルブミンのαドメインとβドメインとの境界を形成する領域に相当する領域を含む）、
を含む、請求項１〜４のいずれか一項に記載の使用。
【請求項７】
生物学的に活性な複合体は、カルシウムへの親和性が減少するか、または機能しなくなるように、カルシウム結合部位が改変されているα−ラクトアルブミンの変異体を含む、請求項６に記載の使用。
【請求項８】
変異体は、ウシα−ラクトアルブミンのＫ７９、Ｄ８２、Ｄ８４、Ｄ８７およびＤ８８に相当するアミノ酸のいずれか１ヶ所に突然変異を有する、請求項７に記載の使用。
【請求項９】
改変はＤ８７にあり、Ｄ８７ＡまたはＤ８７Ｎ変異を有するα−ラクトアルブミンの変異体を含む、請求項８に記載の使用。
【請求項１０】
生物学的に活性な複合体は、α−ラクトアルブミンまたはそれらの変異体のフラグメントを含み、ここにおいて、該フラグメントは、天然型タンパク質のアミノ酸３４〜８６の全領域を含む、請求項１〜４のいずれか一項に記載の使用。
【請求項１１】
α−ラクトアルブミンは、ヒトまたはウシα−ラクトアルブミン、またはこれらのうちいずれかの変異体である、請求項１〜１０のいずれか一項に記載の使用。
【請求項１２】
α−ラクトアルブミンは、ヒトα−ラクトアルブミンである、請求項１１に記載の使用。
【請求項１３】
α−ラクトアルブミンは、Ｓ７０Ｒ突然変異を含む突然変異ウシα−ラクトアルブミンである、請求項１１に記載の使用。
【請求項１４】
ウイルス感染症は、気道、胃腸のウイルス、免疫不全ウイルス、および脳またはその他の内部器官のウイルスの感染症である、請求項１〜１３のいずれか一項に記載の使用。
【請求項１５】
気道のアデノウイルス、インフルエンザウイルス、呼吸器合胞体ウイルス（ＲＳＶ）、パラインフルエンザウイルス、ライノウイルスまたはコロナウイルスによる感染症を治療するための請求項１４に記載の使用。
【請求項１６】
胃腸管のウイルス感染症を治療するための請求項１４に記載の使用。
【請求項１７】
胃感染症の治療のための請求項１６に記載の使用。
【請求項１８】
粘膜表面のウイルス感染症を治療するための請求項１〜１７のいずれか一項に記載の使用。
【請求項１９】
喉、肺、結腸または膀胱の表面の粘膜表面におけるウイルス感染症を治療するための請求項１８に記載の使用。
【請求項２０】
内部器官のウイルス感染症を治療するための請求項１４に記載の使用。
【請求項２１】
脳、肝臓、腎臓、前立腺および卵巣のような内部器官のウイルス感染症を治療するための請求項２０に記載の使用。
【請求項２２】
ウイルス感染症が、フラビウイルス科、ヘルペスウイルス科またはポックスウイルス科
からのウイルスによって惹起される、請求項１〜１３のいずれか一項に記載の使用。
【手続補正２】
【補正対象書類名】明細書
【補正対象項目名】００４８
【補正方法】変更
【補正の内容】
【００４８】
本組成物は、一般的に既知の、製薬上許容できるキャリアー、充填剤および／または補助剤を含んでいてもよい。
【手続補正書】
【提出日】平成20年4月3日(2008.4.3)
【手続補正１】
【補正対象書類名】特許請求の範囲
【補正対象項目名】全文
【補正方法】変更
【補正の内容】
【特許請求の範囲】
【請求項１】
Ｎｅｉｓｓｅｒｉａ  ｍｅｎｉｎｇｉｔｉｄｉｓの血清群Ｙによる感染に対して被験体を免疫するための医薬であって、
１種以上の免疫原性ポリペプチド
を含有する、医薬。
【請求項２】
Ｎｅｉｓｓｅｒｉａ  ｍｅｎｉｎｇｉｔｉｄｉｓの血清群Ｙによる感染に対して被験体を免疫するための医薬であって、
髄膜炎菌性ＯＭＶ
を含有する、医薬。
【請求項３】
請求項１〜２のいずれか１項に記載の医薬であって、被験体を、Ｎ．ｍｅｎｉｎｇｉｔｉｄｉｓの血清群Ａ、血清群Ｂ、血清群Ｃおよび／または血清群Ｗ１３５による感染に対してもまた免疫するための、医薬。
【請求項４】
Ｎｅｉｓｓｅｒｉａ  ｍｅｎｉｎｇｉｔｉｄｉｓの血清群Ｙによる感染に対して被験体を免疫するための医薬の製造における１種以上の免疫原性ポリペプチドの使用。
【請求項５】
Ｎｅｉｓｓｅｒｉａ  ｍｅｎｉｎｇｉｔｉｄｉｓの血清群Ｙによる感染に対して被験体を免疫するための医薬の製造における髄膜炎菌性ＯＭＶの使用。
【請求項６】
請求項４〜５のいずれか１項に記載の使用であって、前記医薬は、被験体を、Ｎ．ｍｅｎｉｎｇｉｔｉｄｉｓの血清群Ａ、血清群Ｂ、血清群Ｃおよび／または血清群Ｗ１３５による感染に対してもまた免疫するためのものである、使用。
【手続補正書】
【提出日】平成20年3月27日(2008.3.27)
【手続補正１】
【補正対象書類名】特許請求の範囲
【補正対象項目名】全文
【補正方法】変更
【補正の内容】
【特許請求の範囲】
【請求項１】
少なくとも１種のソルビタンエステル及び少なくとも１種のソルビトールエステルを含む界面活性剤組成物であって、
前記ソルビタンエステルの疎水性基の平均炭素原子数が、前記ソルビトールエステルの疎水性基の平均炭素原子数よりも多い、
前記界面活性剤組成物。
【請求項２】
前記ソルビタンエステルの疎水性基の平均炭素原子数が、前記ソルビトールエステルの疎水性基の平均炭素原子数よりも、炭素原子３〜７個多い、請求項１に記載の組成物。
【請求項３】
前記ソルビタンエステルの疎水性基の平均炭素原子数が１５〜１９であり、そして／又は前記ソルビトールエステルの疎水性基の平均炭素原子数が１１〜１４である、請求項１又は２に記載の組成物。
【請求項４】
前記ソルビタンエステルの濃度が４５〜９０質量％であり、そして／又は前記ソルビトールエステルの濃度が３〜１５質量％であり、そして／又はイソソルビドエステルの濃度が７〜２５質量％である、請求項１〜３のいずれか一項に記載の組成物。
【請求項５】
ソルビタンパルミテート及び／又はソルビタンステアレート及び／又はソルビトールラウレートを含む、請求項１〜４のいずれか一項に記載の組成物。
【請求項６】
ソルビタンエステル成分及びソルビトールエステル成分を一緒に混合することを含む界面活性剤組成物の生成法であって、
前記ソルビタンエステルの疎水性基の平均炭素原子数が、前記ソルビトールエステルの疎水性基の平均炭素原子数よりも多い、
上記生成法。
【請求項７】
少なくとも１種のソルビタンエステル及び少なくとも１種のソルビトールエステルを含み、水中で液晶を生成させることができる界面活性剤組成物を含むエマルションであって、
前記ソルビタンエステルの疎水性基の平均炭素原子数が、前記ソルビトールエステルの疎水性基の平均炭素原子数よりも多い、
前記エマルション。
【請求項８】
室温で３ヶ月超、及び／又は４０℃で２ヶ月超、及び／又は５０℃で１ヶ月超の期間安定であり、液晶を含む、請求項７に記載のエマルション。
【請求項９】
少なくとも１種のソルビタンエステル及び少なくとも１種のソルビトールエステルを含む界面活性剤組成物を含むパーソナルケア製品又は化粧品であって、
ここで、前記ソルビタンエステルの疎水性基の平均炭素原子数が、前記ソルビトールエステルの疎水性基の平均炭素原子数よりも多い、
前記パーソナルケア製品又は化粧品。
【請求項１０】
少なくとも１種のソルビタンエステル及び少なくとも１種のソルビトールエステルを含む界面活性剤組成物の使用であって、
ここで、エマルションを安定化させるため、前記ソルビタンエステルの疎水性基の平均炭素原子数が、前記ソルビトールエステルの疎水性基の平均炭素原子数よりも多い、
前記界面活性剤組成物の使用。